(57)【特許請求の範囲】
【請求項１】
風呂戻り管及び風呂往き管にそれぞれ連結された２本の注湯管と、各注湯管にそれぞれ設けられた注湯電磁弁及び注湯量センサとを有する風呂注湯装置において、一方の注湯管に設けられた注湯電磁弁の故障判定動作に基づいて、他方の注湯管に設けられた注湯電磁弁の故障判定を行うことを特徴とする風呂注湯装置。
【請求項２】
風呂戻り管及び風呂往き管にそれぞれ連結された２本の注湯管と、各注湯管にそれぞれ設けられた注湯電磁弁及び注湯量センサとを有する風呂注湯装置において、一方の注湯管に設けられた注湯電磁弁を開き、所定の注湯流量が確保されてから他方の注湯管に設けられた注湯電磁弁を開くことを特徴とする風呂注湯装置。
【請求項３】
他方の注湯管に設けられた注湯電磁弁を開いた時に、その側の注湯量センサが通水を検知しなかった場合は、この注湯電磁弁を閉じ、初めに開いた注湯電磁弁だけで注湯を行うことを特徴とする請求項２記載の風呂注湯装置。
【請求項４】
表示スクリーンを設け、２本の注湯管それぞれの注湯流量及び両注湯管のトータル注湯流量を表示することを特徴とする請求項１、２または３記載の風呂注湯装置。
【請求項５】
最初に注湯電磁弁を開く注湯管を、循環ポンプを有する配管側に連結することを特徴とする請求項１、２、３または４記載の風呂注湯装置。
【発明の詳細な説明】
【０００１】
【産業上の利用分野】
本発明は、注湯流量即ち落とし込み流量を増大させるために複数の注湯電磁弁を備えた風呂注湯装置に関する。
【０００２】
【従来の技術】
従来から給湯機能、風呂への注湯（落とし込み）機能及び追焚機能を備えた風呂給湯器が知られており、その構成の一例を図３に示すと、風呂用加熱装置１と給湯用加熱装置２とを備え、風呂用加熱装置１は、風呂用熱交換器３と、該風呂用熱交換器３の入口側に接続された風呂戻り管４と、該風呂戻り管４に設けられた循環ポンプ５と、風呂用熱交換器３の出口側に接続された風呂往き管７と、バーナ８とを備えている。
風呂戻り管４には、循環ポンプ５の上流側に風呂入水温センサ２４が、循環ポンプ５の下流側に風呂入水流スイッチ２５及び風呂温度センサ２６が設けられている。
また、給湯用加熱装置２は、給湯用熱交換器１５と、該給湯用熱交換器１５の入口側に接続された給水管１６と、該給水管１６に設けられた給水量センサ１７と、上記給湯用熱交換器１５の出口側に接続された出湯管１８と、出湯管１８に設けられた出湯弁１９と、給水管１６と出湯管１８を連通させるバイパス路２０と、該バイパス路２０に設けられたバイパス弁２１と、バーナ２２と、ガス管２３とを備えている。
さらに、出湯管１８に一端が接続された注湯管９の他端を、上記循環ポンプ５の水室部に連通させるとともに、注湯管９に配設された逆止弁１０と、注湯電磁弁１１と、真空破壊弁１２と、注湯量センサ１３と、注湯管９の保温ヒータ１４と、注湯湯温センサ２７とを備えている。
【０００３】
動作について説明すると、注湯運転時には、注湯電磁弁１１を開き、循環ポンプ５を駆動して浴槽への注湯運転を開始すると、給湯用加熱装置２で加熱された湯が、注湯管９から、逆止弁１０、注湯量センサ１３を経て循環ポンプ５に流入し、風呂戻り管４から風呂用熱交換器３に流入して風呂往き管７から浴槽に供給される。
循環加熱時には、注湯電磁弁１１が閉じられ、循環ポンプ５が駆動されて湯が風呂戻り管４から風呂用熱交換器３に流入して風呂往き管７から浴槽に供給される。
【０００４】
【発明が解決しようとする課題】
しかしながら、従来の給湯器においては、注湯流量が少なく、注湯開始から注湯完了までに時間がかかるという問題があった。
この問題を解決するため、注湯管を２本設けて注湯管の圧力損失を低減させ、注湯流量を増大させたものもあるが、２本の注湯管にそれぞれ設けられた２個の注湯電磁弁及び２個の注湯量センサの故障判定をするには、複雑な判定のための動作が必要になるとともに、誤判定を防止する必要があるという問題があった。
【０００５】
本発明の目的は、２本の落とし込み用の注湯管を有し、各注湯管にそれぞれ注湯電磁弁と注湯量センサを備えた風呂装置において、それぞれの注湯電磁弁と注湯量センサの故障判定を行うことのできる風呂注湯装置を提供することである。
【０００６】
【課題を解決するための手段】
上記目的を達成するために本発明の風呂注湯装置は、風呂戻り管及び風呂往き管にそれぞれ連結された２本の注湯管と、各注湯管にそれぞれ設けられた注湯電磁弁及び注湯量センサとを有する風呂注湯装置において、一方の注湯管に設けられた注湯電磁弁の故障判定動作に基づいて、他方の注湯管に設けられた注湯電磁弁の故障判定を行うことにより、従来の注湯管が１本のものにおける故障判定シーケンスを活かすことができ、全体としては、一方の注湯管の注湯電磁弁の制御を単に追加するだけの簡単なシーケンスとすることができる。
また、風呂戻り管及び風呂往き管にそれぞれ連結された２本の注湯管と、各注湯管にそれぞれ設けられた注湯電磁弁及び注湯量センサとを有する風呂注湯装置において、一方の注湯管に設けられた注湯電磁弁を開き、所定の注湯流量が確保されてから他方の注湯管に設けられた注湯電磁弁を開くことにより、流量がある程度確保されてから並行して注湯（落とし込み）を行うようにしたので、流量センサの検出量が高検出精度領域を利用して測定することができるから、注湯量の検出精度を維持しながら風呂の注湯を行うことができる。即ち、通常の流量センサの検出において、精度良く流量を検出できる領域があり、流量が極めて少ない場合は検出精度が低下する場合があり、このような検出状況を少なくしながら注湯量の検出を行うことができる。
また、請求項３の発明において、他方の注湯管に設けられた注湯電磁弁を開いた時に、その側の注湯量センサが通水を検知しなかった場合は、この注湯電磁弁を閉じ、初めに開いた注湯電磁弁だけで注湯を行うことにより、一方の注湯管側の注湯電磁弁が故障などにより開かない場合には、注湯時間が多少長くなるが、通常の使用に差し支えが無いものであり、負荷が増大しても故障発生によるコール率は特に増加しない。
また、請求項４の発明において、表示スクリーンを設け、２本の注湯管それぞれの注湯流量及び両注湯管のトータル注湯流量を表示することにより、故障等に対する保守を容易に行うことができる。
さらに、請求項５の発明において、最初に注湯電磁弁を開く注湯管を、循環ポンプを有する配管側に連結することにより、循環ポンプへの呼び水を容易にすることができる。
【０００７】
【発明の実施の形態】
図２を参照して実施例を説明すると、風呂用加熱装置１と給湯用加熱装置２とを備え、風呂用加熱装置１は、風呂用熱交換器３と、該風呂用熱交換器３の入口側に接続された風呂戻り管４と、該風呂戻り管４に設けられた循環ポンプ５と、風呂用熱交換器３の出口側に接続された風呂往き管７と、バーナ８とを備えており、風呂戻り管４には、循環ポンプ５の上流側に風呂入水温センサ２４が、循環ポンプ５の下流側に風呂入水流スイッチ２５及び風呂温度センサ２６が設けられている。
【０００８】
給湯用加熱装置２は、給湯用熱交換器１５と、該給湯用熱交換器１５の入口側に接続された給水管１６と、該給水管１６に設けられた給水量センサ１７と、上記給湯用熱交換器１５の出口側に接続された出湯管１８と、出湯管１８に設けられた出湯弁１９と、給水管１６と出湯管１８を連通させるバイパス路２０と、該バイパス路２０に設けられたバイパス弁２１と、バーナ２２と、ガス管２３とを備えている。
【０００９】
出湯管１８に一端が接続された第１注湯管９の他端を、風呂戻り管４に設けられた循環ポンプ５の水室部に連通させるとともに、第１注湯管９に配設された第１逆止弁１０と、第１注湯電磁弁１１と、第１真空破壊弁１２と、第１注湯量センサ（水量センサ）１３と、第１注湯管９の保温ヒータ１４と、第１注湯湯温センサ２７とを備えている。
また風呂往き管７と上記第１注湯管９とに両端が接続開放された第２注湯管９１には、第２逆止弁９２と、第２注湯量センサ（水量センサ）９６と、第２注湯湯温センサ９３と、第２注湯電磁弁９４と、第２真空破壊弁９５と、第２注湯管９１の保温ヒータ９７とを備えている。
なお、１００はＣＰＵ等のコントローラである。
【００１０】
図１のフローチャートを参照して動作について説明する。
注湯（落とし込み給湯）を開始すると、出湯弁１９を一旦閉止し（ステップＳ１）、出湯弁１９が全閉であることを確認し（ステップＳ２）た後、風呂戻り管４側の注湯電磁弁１（第１注湯電磁弁１１）及び出湯弁１９を開き（ステップＳ３）、給湯燃焼を開始する（ステップＳ４）。
ステップＳ２において、出湯弁１９が全閉とならない場合は、予め設定した第１待機時間ｔ１  （例えば、２５秒）経過後に、異常表示Ｅ１（出湯弁１９故障）を表示し、注湯運転は次のステップに移行しない。
風呂戻り管４側の注湯水量センサ１（第１注湯量センサ１３）が第１注湯管９の注湯水量を検出し、予め定めた第１注湯水量Ｑ１  （例えば、３リットル／分）以上の注湯水量を検出する（ステップＳ５）と、浴槽への積算注湯湯量が予め設定した設定注湯湯量Ｑｍ  未満であるか否かを判定する（ステップＳ６）。
【００１１】
ステップＳ６において、積算注湯湯量が予め設定した設定注湯湯量Ｑｍ  以上に達していることを確認した場合、後述するステップ１２に移行し、出湯弁１９と注湯電磁弁１（第１注湯電磁弁１１）及び注湯電磁弁２（第２注湯電磁弁９４）を閉止した後、出湯弁１９を開き（スナップ１３）、注湯を終了する。
ステップＳ６において、積算注湯湯量が予め設定した設定注湯湯量Ｑｍ  未満であることを確認すると、風呂戻り管４側の注湯水量センサ１（第１注湯量センサ１３）が第１注湯管９の注湯水量を検出し、予め定めた第２注湯水量Ｑ２  （Ｑ２  ＞Ｑ１  、例えば、６．５リットル／分）以上の注湯水量であるか否かを判定する（ステップＳ７）。
【００１２】
ステップＳ７において、注湯水量センサ１（第１注湯量センサ１３）が、第１注湯管９の注湯水量が第２注湯水量Ｑ２  （６．５リットル／分）未満の注湯水量であることを検出した場合には、ステップＳ５の前に戻ってそのまま注湯運転を継続する。
ステップＳ７において、注湯水量センサ１（第１注湯量センサ１３）が、第１注湯管９の注湯水量が第２注湯水量Ｑ２  （６．５リットル／分）以上の注湯水量であることを検出した場合には、風呂往き管７側の第２注湯管９１の注湯電磁弁２（第２注湯電磁弁９４）を開く（ステップＳ８）。
この構成により、流量がある程度確保されてから並行して注湯（落とし込み）を行うようにしたので、流量センサの検出量が高検出精度領域を利用して測定することができるから、注湯量の検出精度を維持しながら風呂の注湯を行うことができる。即ち、通常の流量センサの検出において、精度良く流量を検出できる領域があり、流量が極めて少ない場合は検出精度が低下する場合があり、このような検出状況を少なくしながら注湯量の検出を行うことができる。
風呂往き管７側の注湯水量センサ２（第２注湯量センサ９６）で、予め定めた第３注湯水量Ｑ３  （例えば、２リットル／分）以上の注湯水量であるか否かを判定する（ステップＳ９）。
【００１３】
ステップＳ９において、風呂往き管７側の注湯水量センサ２（第１注湯量センサ９６）が、第２注湯管９１の注湯水量が第３注湯水量Ｑ３  （２リットル／分）未満の注湯水量であることを検出した場合には、予め設定した故障判定待機時間ｔ０  （例えば、１０秒）の経過後、注湯電磁弁２（第２注湯電磁弁９４）を閉止し（ステップ１８）、風呂戻り管４側即ち第１注湯管９側の故障判定である注湯１故障判定（後述するフローチャートのＡからＢまでのシーケンス）を行い（ステップ１９）、浴槽への積算注湯湯量が予め設定した設定注湯湯量Ｑｍ  以上であるか否かを判定する（ステップＳ２０）。
【００１４】
ステップＳ２０において、積算注湯湯量が設定注湯湯量Ｑｍ  未満である場合には、注湯１故障判定（ステップ１９）に戻る。
ステップＳ２０において、積算注湯湯量が設定注湯湯量Ｑｍ  以上であることが確認された場合には、後述するステップ１２に移行し、出湯弁１９と注湯電磁弁１（第１注湯電磁弁１１）及び注湯電磁弁２（第２注湯電磁弁９４）を閉止した後、出湯弁１９を開き（スナップ１３）、注湯を終了する。
【００１５】
ステップＳ９において、風呂往き管７側の注湯水量センサ２（第２注湯量センサ９６）が、第２注湯管９１の注湯水量が第３注湯水量Ｑ３  （２リットル／分）以上であることを確認した場合は、注湯水量センサ１（第１注湯量センサ１３）と注湯水量センサ２（第２注湯量センサ９６）との検出値の合計である注湯水量センサ（１＋２）が予め設定した第４注湯水量Ｑ４  （例えば、６リットル／分）以上であるか否かを判定する（スナップ１０）。
【００１６】
ステップＳ１０において、合計注湯水量センサ（１＋２）が第４注湯水量Ｑ４  （例えば、６リットル／分）未満であることを確認した場合には、注湯電磁弁２（第２注湯電磁弁９４）を閉止し（スナップ２１）、ステップＳ５に戻る。
この時、注湯電磁弁２（第２注湯電磁弁９４）を閉止することにより、第１注湯管９のみに通水されることになって、第１注湯管９の流量が増大して注湯水量センサ１（第１注湯量センサ１３）のみで注湯水量を検出することになるから、注湯水量の判別する精度が向上するとともに、故障の判別を容易にするものである。
ステップＳ１０において、合計注湯水量センサ（１＋２）が第４注湯水量Ｑ４  （例えば、６リットル／分）以上であることを確認した場合には、積算注湯湯量が設定注湯湯量Ｑｍ  以上であるか否かを判定する（ステップ１１）。
【００１７】
ステップＳ１１において、積算注湯湯量が設定注湯湯量Ｑｍ  未満である場合には、ステップＳ１０に戻る。
ステップＳ１１において、積算注湯湯量が設定注湯湯量Ｑｍ  以上である場合には、ステップ１２に移行し、出湯弁１９と注湯電磁弁１（第１注湯電磁弁１１）及び注湯電磁弁２（第２注湯電磁弁９４）を閉止した後、出湯弁１９を開き（スナップ１３）、注湯を終了する。
【００１８】
ステップＳ５において、注湯水量センサ１（第１注湯量センサ１３）が、第１注湯管９の注湯水量が第１注湯水量Ｑ１  （３リットル／分）未満であることを検出すると、給湯栓が開かれて給湯が行われ、給湯水量と第１注湯管９の注湯水量との差〔給湯─注湯〕が予め設定した流量差Ｑ１１（例えば、３リットル／分）以上であるか否かを判定する（ステップ１４）。
【００１９】
ステップＳ１４において、〔給湯─注湯〕が流量差Ｑ１１（３リットル／分）未満である場合は、１回目は無視して２回目に予め定めた第２待機時間ｔ２  （例えば、２５秒）後に異常表示Ｅ２（注湯電磁弁１または注湯水量センサ１に異常）を表示する。
ステップＳ１４において、〔給湯─注湯〕が流量差Ｑ１１（３リットル／分）以上である場合は、風呂戻り管４側の注湯電磁弁１（第１注湯電磁弁１１）を閉止し（ステップＳ１５）、出湯弁１９の開を保持して給湯水量ｑが予め定めた設定給湯水量ｑ１  （例えば、２リットル／分）以上であるか否かを判定する（ステップＳ１６）。
【００２０】
ステップＳ１６において、給湯水量ｑが予め定めた設定給湯水量ｑ１  （２リットル／分）未満である場合は、異常表示Ｅ３（給湯栓故障）を表示して、ステップＳ１に戻る。
ステップＳ１６において、給湯水量ｑが予め定めた設定給湯水量ｑ１  （２リットル／分）以上である場合は、給湯栓を閉止して給湯水量ｑが設定給湯水量ｑ１  （２リットル／分）未満となることを確認し（ステップ１７）、ステップＳ１に戻る。
【００２１】
なお、ステップＳ１〜ステップＳ５及びステップＳ１４〜ステップＳ１７が
風呂戻り管４側即ち第１注湯管９側の故障判定シーケンスであって、注湯１故障判定（Ａ→Ｂ）（フローチャートにおけるＡからＢまでの故障判定シーケンス）であり、故障判定は風呂戻り管４側即ち第１注湯管９側のみ行うものである。
風呂往き管７側即ち第２注湯管９１側においては、注湯電磁弁２（第２注湯電磁弁９４）を開いて注湯水量センサ２（第２注湯量センサ９６）からの水量センサカウントが無い場合は、注湯電磁弁２（第２注湯電磁弁９４）を閉じ、風呂戻り管４側即ち第１注湯管９側だけで制御する。
【００２２】
この構成によると、風呂戻り管４側即ち第１注湯管９側の注湯電磁弁１（第１注湯電磁弁１１）をベースにして故障判定を行い、風呂往き管７側即ち第２注湯管９１側の注湯電磁弁２（第２注湯電磁弁９４）は注湯流量が確保されてから開くことにより、従来の注湯管が１本のものにおける故障判定シーケンスを活かすことができ、全体としては、風呂往き管７側即ち第２注湯管９１側の注湯電磁弁２（第２注湯電磁弁９４）の制御を単に追加するだけの簡単なシーケンスとすることができる。
【００２３】
また、風呂往き管７側即ち第２注湯管９１側の注湯電磁弁２（第２注湯電磁弁９４）が故障などにより開かない場合に、注湯時間が多少長くなるが、通常の使用に差し支えが無いものであり、この場合に故障表示を出さないから、負荷が増大しても故障発生によるコール率は特に増加しない。
また、風呂戻り管４側即ち第１注湯管９側の注湯電磁弁１（第１注湯電磁弁１１）を先に開けるから、循環ポンプへの呼び水が容易になる。
【００２４】
なお、コントローラ、リモートコントローラ等に表示スクリーンを設け、風呂戻り管４側即ち第１注湯管９側の注湯流量と、風呂往き管７側即ち第２注湯管９１側の注湯流量と、トータル注湯流量とを表示することにより、故障等に対する保守を容易に行うことができる。
【００２５】
【発明の効果】
本発明は、上述のとおり構成されているから、次のような効果を奏する。
風呂戻り管及び風呂往き管にそれぞれ連結された２本の注湯管と、各注湯管にそれぞれ設けられた注湯電磁弁及び注湯量センサとを有する風呂注湯装置において、一方の注湯管に設けられた注湯電磁弁の故障判定動作に基づいて、他方の注湯管に設けられた注湯電磁弁の故障判定を行うことにより、従来の注湯管が１本のものにおける故障判定シーケンスを活かすことができ、全体としては、一方の注湯管の注湯電磁弁の制御を単に追加するだけの簡単なシーケンスとすることができる。
また、風呂戻り管及び風呂往き管にそれぞれ連結された２本の注湯管と、各注湯管にそれぞれ設けられた注湯電磁弁及び注湯量センサとを有する風呂注湯装置において、一方の注湯管に設けられた注湯電磁弁を開き、所定の注湯流量が確保されてから他方の注湯管に設けられた注湯電磁弁を開くことにより、流量がある程度確保されてから並行して注湯（落とし込み）を行うようにしたので、流量センサの検出量が高検出精度領域を利用して測定することができるから、注湯量の検出精度を維持しながら風呂の注湯を行うことができる。即ち、通常の流量センサの検出において、精度良く流量を検出できる領域があり、流量が極めて少ない場合は検出精度が低下する場合があり、このような検出状況を少なくしながら注湯量の検出を行うことができる。
また、請求項３の発明において、他方の注湯管に設けられた注湯電磁弁を開いた時に、その側の注湯量センサが通水を検知しなかった場合は、この注湯電磁弁を閉じ、初めに開いた注湯電磁弁だけで注湯を行うことにより、一方の注湯管側の注湯電磁弁が故障などにより開かない場合には、注湯時間が多少長くなるが、通常の使用に差し支えが無いものであり、負荷が増大しても故障発生によるコール率は特に増加しない。
また、請求項４の発明において、表示スクリーンを設け、２本の注湯管それぞれの注湯流量及び両注湯管のトータル注湯流量を表示することにより、故障等に対する保守を容易に行うことができる。
さらに、請求項５の発明において、最初に注湯電磁弁を開く注湯管を、循環ポンプを有する配管側に連結することにより、循環ポンプへの呼び水を容易にすることができる。
【図面の簡単な説明】
【図１】本発明の実施例に係るフローチャートである。
【図２】本発明を適用する給湯器の概略構成図である。
【図３】従来の給湯器の概略構成図である。
【符号の説明】
１  風呂用加熱装置、２  給湯用加熱装置、３  風呂用熱交換器
４  風呂戻り管、５  循環ポンプ、７  風呂往き管、９  第１注湯管
９  第１注湯管、１１  第１注湯電磁弁、１３  第１注湯量センサ
９１  第２注湯管、９４  第２注湯電磁弁、９６  第２注湯量センサ
【図１】
0003613584.tif 000002
【図２】
0003613584.tif 000003
【図３】
0003613584.tif 000004